(57)【要約】【課題】通話中に、その通話で用いるネットワークとの通信が切断されることを抑制できる電子機器を提供する。【解決手段】機能処理部は、入力部への第１入力に応答して、第１ネットワークの通信切断を含む第１機能を発揮させ、入力部への第２入力に応答して、第２ネットワークの通信切断を含む第２機能を発揮させ、入力部への第３入力に応答して、第１ネットワークおよび第２ネットワークの通信切断を含む第３機能を発揮させる。制限処理部は、第１ネットワークを用いた第１通話を行っているときに、第１入力および第１機能の少なくとも一方と、第３入力および第３機能の少なくとも一方とを対象とした制限処理を行い、第２ネットワークを用いた第２通話を行っているときに、第２入力および第２機能の少なくとも一方と、第３入力および第３機能の少なくとも一方とを対象とした制限処理を行う。【選択図】図１４
2017034335.tif 000002
【特許請求の範囲】
【請求項１】
電子機器であって、
複数のネットワークと通信する通信部と、
前記複数のネットワークうち第１ネットワークを用いた第１通話、および、前記複数のネットワークうち前記第１ネットワークとは異なる第２ネットワークを用いた第２通話を、前記通信部を介して行う通話処理部と、
入力部と、
前記入力部への第１入力に応答して、前記第１ネットワークの通信切断を含む第１機能を発揮させ、前記入力部への第２入力に応答して、前記第２ネットワークの通信切断を含む第２機能を発揮させ、前記入力部への第３入力に応答して、前記第１ネットワークおよび前記第２ネットワークの通信切断を含む第３機能を発揮させる機能処理部と、
前記第１通話を行っているときに、前記第１入力および前記第１機能の少なくとも一方と、前記第３入力および前記第３機能の少なくとも一方とを対象とした制限処理を行い、前記第２通話を行っているときに、前記第２入力および前記第２機能の少なくとも一方と、前記第３入力および前記第３機能の少なくとも一方とを対象とした制限処理を行う、制限処理部と
を備える、電子機器。
【請求項２】
請求項１に記載の電子機器であって、
前記制限処理部は、前記第１通話を行っているときに、前記制限処理として、前記第１機能および前記第２機能を無効とし、前記第２通話を行っているときに、前記制限処理として、前記第１機能および前記第３機能を無効とする、電子機器。
【請求項３】
請求項１または請求項２に記載の電子機器であって、
前記入力部は、表示部およびタッチパネルを有し、
前記機能処理部は、前記第１入力から前記第３入力のそれぞれに対応するボタンとして機能する第１要素から第３要素を含んだ画面を、前記入力部への第４入力に応じて前記表示部に表示し、
前記制限処理部は、前記第４入力があったときに、前記制限処理を実行する、電子機器。
【請求項４】
請求項２に記載の電子機器であって、
前記入力部は、表示部およびタッチパネルを有し、
前記機能処理部は、
前記第１入力から前記第３入力のそれぞれに対するボタンとして機能する第１要素から第３要素を、前記第１通話および前記第２通話が行われていないときには、第１表示態様で前記表示部に表示し、
前記第１通話が行われているときには、前記第１要素および前記第２要素を前記第１表示態様とは異なる第２表示態様で前記表示部に表示し、
前記第２通話が行われているときには、前記第２要素および前記第３要素を前記第２表示態様で前記表示部に表示する、電子機器。
【請求項５】
請求項２に記載の電子機器であって、
前記入力部は、表示部およびタッチパネルを有し、
前記機能処理部は、
前記第１入力から前記第３入力のそれぞれに対するボタンとして機能する第１要素から第３要素を、前記第１通話および前記第２通話が行われていないときに表示し、
前記第１通話が行われているときには、前記第１要素および前記第２要素を前記表示部に表示せず、
前記第２通話が行われているときには、前記第２要素および前記第３要素を前記表示部に表示しない、電子機器。
【請求項６】
請求項１または２に記載の電子機器であって、
前記第１通話を行っている状態で前記第１入力および前記第２入力の少なくともいずれか一方があったとき、または、前記第２通話を行っている状態で前記第２入力および前記第３入力の少なくともいずれか一方があったときに、制限処理が施されていることを報知する報知部
を更に備える、電子機器。
【請求項７】
請求項１から請求項６のいずれか一つに記載の電子機器であって、
前記機能処理部は、前記制限処理として、前記第１通話を行っているときに、前記第１入力および前記第２入力に対する入力感度を、前記第１通話および前記第２通話を行っていないときの入力感度よりも小さくし、前記第２通話を行っているときに、前記第２入力および前記第３入力に対する入力感度を、前記第１通話および前記第２通話を行っていないときの入力感度よりも小さくする設定する、電子機器。
【請求項８】
請求項１から請求項７のいずれか一つに記載の電子機器であって、
前記機能処理部は、前記第１通話中に前記第１入力または前記第３入力があったときには、前記第１通話の終了後に、前記第１機能または前記第３機能を実行し、前記第２通話中に前記第２入力または前記第３入力があったときには、前記第２通話の終了後に、前記第２機能または前記第３機能を実行する、電子機器。
【請求項９】
請求項８に記載の電子機器であって、
前記第１通話中に前記第１入力および前記第３入力の少なくとも一方があったとき、または、前記第２通話中に前記第２入力および前記第３入力の少なくともいずれか一方があったときに、通話終了後に機能を実行することを報知する報知部を更に備える、電子機器。
【請求項１０】
請求項８または請求項９に記載の電子機器であって、
前記機能処理部は、前記第１通話中に前記第１入力または前記第３入力があったときには、前記第１通話の終了後に、前記第１機能または前記第３機能の実行の有無をユーザに問い合わせ、前記第２通話中に前記第２入力または前記第３入力があったときには、前記第２通話の終了後に、前記第２機能または前記第３機能の実行の有無をユーザに問い合せる、電子機器。
【発明の詳細な説明】
【技術分野】
【０００１】
本発明は、電子機器に関する。
【背景技術】
【０００２】
携帯電話機は、例えば音声通話網を介して、他の携帯電話機と通話することができる。また近年では、ＩＰネットワーク等を介して他の携帯電話機と通話する携帯電話が登場している。さらに、無線ＬＡＮで用いられるアクセスポイントをネットワークの窓口として通信を行い、このネットワークを用いて他の携帯電話機と通話する携帯電話機も登場している。
【０００３】
なお本願に関連する技術として、特許文献１を提示する。
【先行技術文献】
【特許文献】
【０００４】
【特許文献１】特開２０１２−１０４８９４号公報
【発明の概要】
【発明が解決しようとする課題】
【０００５】
通話中に、その通話で用いるネットワークとの通信が切断されることは好ましくない。
【０００６】
そこで本発明は、通話中に、その通話で用いるネットワークとの通信が切断されることを抑制できる電子機器を提供することを目的とする。
【課題を解決するための手段】
【０００７】
電子機器が開示される。一実施の形態においては、電子機器は通信部と通話処理部と入力部と機能処理部と制限処理部とを備える。通信部は、複数のネットワークと通信する。通話処理部は、複数のネットワークうち第１ネットワークを用いた第１通話、および、複数のネットワークうち第１ネットワークとは異なる第２ネットワークを用いた第２通話を、通信部を介して行う。機能処理部は、入力部への第１入力に応答して、第１ネットワークの通信切断を含む第１機能を発揮させ、入力部への第２入力に応答して、第２ネットワークの通信切断を含む第２機能を発揮させ、入力部への第３入力に応答して、第１ネットワークおよび第２ネットワークの通信切断を含む第３機能を発揮させる。制限処理部は、第１通話を行っているときに、第１入力および第１機能の少なくとも一方と、第３入力および第３機能の少なくとも一方とを対象とした制限処理を行い、第２通話を行っているときに、第２入力および第２機能の少なくとも一方と、第３入力および第３機能の少なくとも一方とを対象とした制限処理を行う。
【発明の効果】
【０００８】
本電子機器によれば、通話中に、その通話で用いるネットワークとの通信が切断されることを抑制できる。
【図面の簡単な説明】
【０００９】
【図１】ネットワークシステムの構成の一例を概略的に示す図である。
【図２】音声通話におけるネットワークの一例を概略的に示す図である。
【図３】通信通話におけるネットワークの一例を概略的に示す図である。
【図４】無線ＬＡＮ通話におけるネットワークの一例を概略的に示す図である。
【図５】電子機器の概観の一例を示す前面図である。
【図６】電子機器の概観の一例を示す裏面図である。
【図７】電子機器の電気的な構成の一例を概略的に示す図である。
【図８】制御部の構成の一例を概略的に示す図である。
【図９】ホーム画面の一例を概略的に示す図である。
【図１０】通話画面の一例を概略的に示す図である。
【図１１】Notification画面の一例を概略的に示す図である。
【図１２】メニュー画面の一例を概略的に示す図である。
【図１３】通話の種類と機能との一例を示す表である。
【図１４】制御部の動作の一例を概略的に示すフローチャートである。
【図１５】制御部の動作の一例を概略的に示すフローチャートである。
【図１６】メニュー画面の一例を概略的に示す図である。
【図１７】メニュー画面の一例を概略的に示す図である。
【図１８】メニュー画面の一例を概略的に示す図である。
【図１９】制御部の動作の一例を概略的に示す図である。
【図２０】制御部の動作の一例を概略的に示すフローチャートである。
【図２１】制御部の動作の一例を概略的に示すフローチャートである。
【図２２】制御部の動作の一例を概略的に示すフローチャートである。
【発明を実施するための形態】
【００１０】
＜全体構成の概要＞
図１はネットワークシステムの構成の一例を概略的に示す図である。このネットワークシステムは複数の基地局２１０、複数のサーバ２２０およびネットワーク２３０を備えている。
【００１１】
通話装置の一例たる電子機器１００は例えば無線により基地局２１０と通信を行うことができる。基地局２１０はサーバ２２０とも通信を行う。サーバ２２０は、基地局２１０から受信した信号をネットワーク２３０へと送信し、ネットワーク２３０から受信した信号を基地局２１０へと送信する。
【００１２】
かかるネットワークシステムにおいて、電子機器１００は、基地局２１０、サーバ２２０およびネットワーク２３０を介して、他の電子機器と通信を行うことができる。例えば電子機器１００は、第１の基地局２１０、第１のサーバ２２０、ネットワーク２３０、第２のサーバ２２０、および、第２の基地局２１０を経由して、他の電子機器へと信号を送信し、これとは逆の順序で、他の電子機器から信号を受信することができる。
【００１３】
また、電子機器１００は複数の通信規格を用いて基地局２１０と通信を行うことができる。例えば、携帯電話通信における通信規格では、第１世代（１Ｇ）の通信規格から第４世代（４Ｇ）の通信規格がある。各基地局２１０はこれらの通信規格の少なくとも一つに対応している。なお本実施の形態では、主として、第３世代の通信規格および第４世代の通信規格を用いて説明を行う。第４世代の通信規格の一例としては、ＬＴＥが挙げられる。本ネットワークシステムには、例えば第３世代の通信規格に対応した基地局２１０と、第３世代および第４世代の両方の通信規格に対応した基地局２１０とが混在してもよい。
【００１４】
なお、今後、更に世代を重ねて通信規格が登場することが見込まれるところ、本実施の形態では、これらの通信規格を用いても構わない。
【００１５】
また、無線通信規格として、無線ＬＡＮ(Local Area Network)の通信規格がある。基地局２１０はこの無線ＬＡＮを用いて電子機器１００と通信を行うこともできる。この無線ＬＡＮを用いた通信では、第３世代および第４世代の通信規格に比べて無線通信可能な距離が短いので、基地局２１０と電子機器１００との間には、ルータなどのアクセスポイント２１１が中継装置として設けられる。
【００１６】
ネットワーク２３０は複数のネットワークを有している。複数のネットワークは、例えば音声通話網２３１、および、モバイルネットワーク（例えばＩＰ(Internet Protocol)ネットワークなどのインターネット）２３２である。
【００１７】
サーバ２２０は、基地局２１０から送信された信号を、その信号に応じたネットワークへと送信する。例えば、電子機器１００が音声通話網２３１を用いた通話を行う場合には、サーバ２２０は音声通話網２３１と信号の送受信を行い（図２も参照）、電子機器１００がモバイルネットワーク２３２を用いた通話を行う場合には、サーバ２２０はモバイルネットワーク２３２と信号の送受信を行う（図３および図４も参照）。
【００１８】
電子機器１００は互いに異なるネットワークで通話を行うことができる。具体的には、例えば第３世代の通信規格で通話を行う場合に、図２に例示するように、音声通話網２３１を用いて通話を行ってもよい。また例えば第４世代の通信規格で通話を行う場合に、図３に例示するように、モバイルネットワーク２３２を用いて通話を行ってもよい。また例えば無線ＬＡＮの通信規格で通話を行う場合に、図４に例示するように、アクセスポイント２１１を経由しつつ、モバイルネットワーク２３２を用いて通話を行ってもよい。
【００１９】
以下では、第３世代の通信規格で音声通話網２３１を用いた経路（図２）を音声ネットワークとも呼び、第４世代の通信規格でモバイルネットワーク２３２を用いた経路（図３）を通信ネットワークとも呼び、無線ＬＡＮの通信規格でモバイルネットワーク２３２を用いた経路（図４）を無線ＬＡＮネットワークとも呼ぶ。
【００２０】
＜電子機器＞
＜外観＞
図５は、電子機器１００の前面側から見た概観の一例を示している。図６は電子機器１００の概観の一例を示す裏面図である。この電子機器１００は、例えば、基地局２１０及びサーバ２２０等を通じて、他の電子機器１００と通信することが可能である。電子機器１００は、例えば携帯型の電子機器であって、タブレット、ＰＤＡ(Personal Digital Assistant)、携帯電話機（スマートフォンを含む）、または、パーソナルコンピュータなどである。
【００２１】
図５および図６に示されるように、電子機器１００は、カバーパネル２とケース部分３を備えており、カバーパネル２とケース部分３とが組み合わされることによって、平面視で略長方形の板状を成す筐体（以下、機器ケースとも呼ぶ）４が構成されている。
【００２２】
カバーパネル２は、平面視において略長方形を成しており、電子機器１００の前面部分における、周縁部分以外の部分を構成している。カバーパネル２は、例えば、透明のガラスあるいは透明のアクリル樹脂で形成されている。あるいは、カバーパネル２は、例えばサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難くなるという点で、Ａｌ２Ｏ３純度は９９％以上であることが好ましい。
【００２３】
カバーパネル２は、サファイアから成る層を含む複数層構造の複合パネル（積層パネル）であっても良い。例えば、カバーパネル２は、電子機器１００の表面に設けられたサファイアから成る層（サファイアパネル）と、当該層に貼り付けられたガラスから成る層（ガラスパネル）とで構成された２層構造の複合パネルであっても良い。また、カバーパネル２は、電子機器１００の表面に設けられたサファイアから成る層（サファイアパネル）と、当該層に貼り付けられたガラスから成る層（ガラスパネル）と、当該層に貼り付けられたサファイアから成る層（サファイアパネル）とで構成された３層構造の複合パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００２４】
ケース部分３は、電子機器１００の前面部分の周縁部分、側面部分及び裏面部分を構成している。ケース部分３は、例えばポリカーボネート樹脂で形成されている。
【００２５】
カバーパネル２の前面には、文字、記号、図形または画像等の各種情報が表示される表示領域２ａが設けられている。この表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル５２が貼り付けられており、ユーザは、電子機器１００の前面の表示領域２ａを指等で操作することによって、電子機器１００に対して各種指示を与えることができる。なお、ユーザは、指以外の操作子、例えば、スタイラスペンなどの静電式タッチパネル用ペンで表示領域２ａを操作することによっても、電子機器１００に対して各種指示を与えることができる。
【００２６】
機器ケース４内には、例えば操作キー５が設けられている。操作キー５は、例えばハードウェアキーであって、例えばカバーパネル２の前面の下側端部に設けられている。
【００２７】
タッチパネル５２および操作キー５は、電子機器１００への入力を行う入力部の一例である。後述する各種の入力はタッチパネル５２を用いて行われてもよく、操作キー５を用いて行われてもよい。以下では、代表的にタッチパネル５２を用いて説明する。
【００２８】
＜電子機器の電気的構成＞
図７は電子機器１００の電気的構成を示すブロック図である。図７に例示される電子機器１００は、例えば、制御部１０、無線通信部２０、表示部４１、第１音声出力部（ここではレシーバ）４２、第２音声出力部（ここではスピーカ）４４、振動部４５、音声入力部４６、タッチパネル５２、キー操作部５４、撮像部６０、および、ＳＩＭ挿入部７０を備えている。電子機器１００に設けられたこれらの構成要素は、機器ケース４に収められている。
【００２９】
制御部１０は、例えばＣＰＵ（Central Processing Unit）１０１、ＤＳＰ（Digital Signal Processor）１０２及び記憶部１０３等を備えており、電子機器１００の他の構成要素を制御することによって、電子機器１００の動作を統括的に管理する。記憶部１０３は、ＲＯＭ（Read Only Memory）及びＲＡＭ（Random Access Memory）等で構成されている。記憶部１０３には、電子機器１００の動作、具体的には電子機器１００が備える無線通信部２０、表示部４１等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図７の例示では、ＣＰＵ１０１およびＤＳＰ１０２がそれぞれ一つ示されているものの、これらは複数設けられてもよい。そして、これらが互いに協働して各種機能を実現してもよい。また、図５の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００３０】
無線通信部２０は、アンテナ２１を有している。無線通信部２０はアンテナ２１を介して、複数のネットワーク（例えば音声ネットワーク、通信ネットワーク、無線ＬＡＮネットワーク）と通信できる。ここでいう複数のネットワークとは、例えば通信プロトコルの異なる複数のネットワークである、と説明できる。例えば無線通信部２０はアクセスポイント２１１を介して、あるいは直接に、基地局２１０と通信できる。無線通信部２０は、受信信号に対して増幅処理及びダウンコンバートを行って制御部１０に出力する。制御部１０は、入力される受信信号に対して復調処理等を行う。また無線通信部２０は、制御部１０で生成された送信信号に対してアップコンバート及び増幅処理を行って、処理後の送信信号をアンテナ２１から無線送信する。
【００３１】
表示部４１は、例えば、液晶表示パネルあるいは有機ＥＬパネルなどである。表示部４１は、制御部１０によって制御されることによって、文字、記号、図形または画像などの各種情報を表示する。表示部４１に表示される情報は、カバーパネル２の前面の表示領域２ａに表示される。したがって、表示部４１は、表示領域２ａに表示を行っていると言える。
【００３２】
タッチパネル５２は、カバーパネル２の表示領域２ａに対する操作指等の操作子による操作を検出する。タッチパネル５２は、例えば、投影型静電容量方式のタッチパネルであって、カバーパネル２の裏面に貼り付けられている。ユーザが操作指等の操作子によってカバーパネル２の表示領域２ａに対して操作を行うと、それに応じた信号がタッチパネル５２から制御部１０に入力される。制御部１０は、タッチパネル５２からの信号に基づいて、表示領域２ａに対して行われた操作の内容を特定して、その内容に応じた処理を行う。なお、タッチパネル５２は感圧式のタッチパネルであってもよい。
【００３３】
なおタッチパネル５２は、表示部４１に表示された表示内容に対するユーザの操作を検出するので、タッチパネル５２および表示部４１は互いに協働して入力部を形成する、とも説明できる。
【００３４】
キー操作部５４は、各操作キー５に対するユーザの押下操作を検出する。キー操作部５４は、各操作キー５について、当該操作キー５が押下されているか否かを検出する。キー操作部５４は、操作キー５が押下されていない場合には、当該操作キー５が操作されていないことを示す未操作信号を制御部１０に出力する。また、キー操作部５４は、操作キー５が押下されると、当該操作キー５が操作されたことを示す操作信号を制御部１０に出力する。これにより、制御部１０は、各操作キー５について、当該操作キー５が操作されているか否かを判断することができる。
【００３５】
タッチパネル５２および操作キー５は、電子機器１００への入力部として機能する。なお以下で述べる、タッチパネル５２を用いた入力は、いずれも操作キー５に割り当てることが可能である。
【００３６】
第１音声出力部（例えばレシーバ）４２は、受話音を出力するものであって、例えばダイナミックスピーカで構成されている。レシーバ４２は、制御部１０からの電気的な音信号を音に変換して出力する。レシーバ４２から出力される音は、電子機器１００の前面に設けられたレシーバ穴８０ａから外部に出力される。レシーバ穴８０ａから出力される音の音量は、第２音声出力部４４からスピーカ穴３４ａを介して出力される音の音量よりも小さくなっている。
【００３７】
なおレシーバ４２に替えて、圧電振動素子が設けられてもよい。圧電振動素子は、制御部１０によって制御され、音声信号に基づいて振動する。圧電振動素子は例えばカバーパネル２の裏面に設けられており、音声信号に基づく自身の振動によってカバーパネル２を振動させる。これにより、カバーパネル２の振動が音声としてユーザの耳に伝達される。この場合、レシーバ穴８０ａは不要である。
【００３８】
第２音声出力部（例えばスピーカ）４４は、例えばダイナミックスピーカであって、制御部１０からの電気的な音信号を音に変換して出力する。スピーカ４４から出力される音は、電子機器１００の裏面に設けられたスピーカ穴３４ａから外部に出力される。スピーカ穴３４ａから出力される音が、電子機器１００から離れた場所でも聞こえるように、その音量が調整されている。すなわち、第２音声出力部（スピーカ）４４の音量は第１音声出力部（レシーバ４２あるいは圧電振動素子）の音量よりも大きい。
【００３９】
音声入力部４６は、例えばマイクであって、電子機器１００の外部から入力される音を電気的な音信号に変換して制御部１０に出力する。電子機器１００の外部からの音は、カバーパネル２の前面に設けられたマイク穴から電子機器１００の内部に取り込まれてマイク４６に入力される。
【００４０】
振動部４５は制御部１０によって制御されて振動する。かかる振動は電子機器１００の筐体に伝達される。これにより、ユーザは電子機器１００からの報知を受け取ることができる。
【００４１】
表示部４１、第１音声出力部４２、第２音声出力部４４および振動部４５は、ユーザに対して報知を行うことができるという意味で報知部４０の一例である、とも説明できる。
【００４２】
撮像部６０は例えば第１撮像部６２と第２撮像部６４とを有している。第１撮像部６２は撮像レンズ６ａおよび撮像素子などで構成されており、制御部１０による制御に基づいて、静止画像および動画像を撮像する。図５に示されるように、撮像レンズ６ａは、電子機器１００の前面に設けられていることから、電子機器１００の前面側（カバーパネル２側）に存在する物体を撮像することが可能である。
【００４３】
第２撮像部６４は、撮像レンズ７ａおよび撮像素子などで構成されており、制御部１０による制御に基づいて、静止画像および動画像を撮像する。図６に示されるように、撮像レンズ７ａは、電子機器１００の裏面に設けられていることから、電子機器１００の裏面側に存在する物体を撮像することが可能である。
【００４４】
ＳＩＭ挿入部７０には、ＳＩＭ(Subscriber Identity Module)カードが挿入される。このＳＩＭカードはＩＣ(Integrated Circuit)カードであり、例えば加入者情報としての電話番号が記録されている。制御部１０は、ＳＩＭ挿入部７０に挿入されたＳＩＭカードから、この電話番号を読み取ることができる。
【００４５】
またＳＩＭ挿入部７０には、複数のＳＩＭカードが挿入されてもよい。複数のＳＩＭカードには、互いに異なる電話番号が記憶されている。ユーザは、入力部５０を用いて、複数のＳＩＭカードのうち一つを指定する。制御部１０は、ユーザによって指定されたＳＩＭカードから電話番号を読み出し、この電話番号を用いて通話を行うことができる。
【００４６】
これにより、複数の電話番号を１台の電子機器１００で切り替えて用いることができる。例えば２つのＳＩＭカードが挿入可能に構成される態様は、デュアルＳＩＭとも呼ばれる。この場合、ユーザは例えばプライベート用の電話番号とビジネス用の電話番号とを、１台の電子機器１００で切り替えて用いることができる。
【００４７】
＜制御部＞
図８は、制御部１０の内部構成の一例を概略的に示す機能ブロック図である。制御部１０は、通話処理部１１０と、機能処理部１２０と、制限処理部１３０とを備えている。なお、これらの機能部はソフトウェアとして実装されてもよく、あるいは、これらの機能部の一部または全部はハードウェアで実装されてもよい。
【００４８】
制御部１０は、いわゆるマルチタスク機能を有している。よって、通話処理部１１０、動作設定部１２１および制限処理部１３０は例えば時分割により、互いに並行して動作することができる。
【００４９】
通話処理部１１０は例えば音声ネットワークを用いた通話（以下、音声通話と呼ぶ）、通信ネットワークを用いた通話（以下、通信通話と呼ぶ）、および、無線ＬＡＮネットワークを用いた通話（以下、無線ＬＡＮ通話と呼ぶ）を、無線通信部２０を介して行うことができる。
【００５０】
図８では、例えば通話処理部１１０は通話処理部１１１，１１２を備えている。各通話処理部１１１，１１２は例えばそれぞれユーザの操作に応じて起動する。例えば制御部１０はホーム画面を表示部４１に表示する。図９はホーム画面１０ｂの一例を模式的に示す図である。このホーム画面１０ｂには、それぞれがボタンとして機能する複数の要素（例えばアイコン）１０ｃが一覧で表示されている。これらの要素１０ｃは各種のアプリケーションに対応している。ユーザが例えば要素１０ｃに対して操作を行うと、その操作がタッチパネル５２で検出されて、制御部１０へと入力される。制御部１０は、対応するアプリケーションを実行する。例えば通話処理部１１１を示す要素１０ｃが選択されると、これに応じて通話処理部１１１が起動し、通話処理部１１２を示す要素１０ｃが選択されると、これに応じて通話処理部１１２が起動する。
【００５１】
通話処理部１１１は起動後に通話用の画面（不図示）を表示部４１に表示する。かかる通話用の画面には、通話相手を示す宛先情報（例えば電話番号）の入力ボタン、および発呼を指示する入力ボタンが表示されている。ユーザが通話相手を指定する操作を行い、さらに発呼を指示する操作を行うと、これの操作がタッチパネル５２で検出されて、通話処理部１１１に入力される。通話処理部１１１は無線通信部２０を介して通話相手の電子機器１００へと発呼信号を送信する。
【００５２】
通話相手の電子機器１００はこの発呼信号を着信信号として受信すると、これを通話相手に報知するとともに、その着信に対する応答／拒否の指示を受け付ける。そして、通話相手が電子機器１００へと拒否を指示すると、通信を遮断して通話処理を終了する。一方で、通話相手が電子機器１００へと応答を指示すると、これを上述の経路で電子機器１００へと送信し、通話が開始される。
【００５３】
図１０は、通話中に表示部４１に表示される通話画面１１０ａの一例を模式的に示す図である。この通話画面１１０ａには、通話を終了するボタンとして機能する要素１１０ｂが表示される。ユーザがこの要素１１０ｂに対して操作を行うと、この操作がタッチパネル５２によって検出されて、通話処理部１１１に入力される。通話処理部１１１は当該操作を受けて、通話を終了する。
【００５４】
また図１０の例示では、通話画面１１０ａには、要素１０ａも表示されている。この要素１０ａは、表示部４１に表示する画面を、通話画面１１０ａからホーム画面１０ｂへと遷移するボタンとして機能する。ユーザがこの要素１０ａに対して操作を行うと、この操作がタッチパネル５２によって検出されて、制御部１０に入力される。制御部１０は当該操作を受けて、通話画面１１０ａの表示を一旦終了して、ホーム画面１０ｂを表示部４１に表示する。
【００５５】
なお上述のように、制御部１０はマルチタスク機能を有しているので、ホーム画面１０ｂが表示部４１に表示された状態でも、通話処理部１１１による通話処理は実行されている。
【００５６】
通話処理部１１２の動作も通話処理部１１１と同様であるものの、通話に使用するネットワークという点で通話処理部１１１と相違する。通話処理部１１１は、例えば、音声ネットワークを用いた音声通話、および、通信ネットワークを用いた通信通話を行うことができる。即ち、第３世代の通信規格を用いつつ、音声通話網２３１を経由して音声通話を行ったり（図２）、第４世代の通信規格を用いつつ、モバイルネットワーク２３２を経由して通信通話を行うことができる（図３）。
【００５７】
通話処理部１１１は、基地局２１０が対応する通信規格を、基地局２１０との通信により了知することができる。そこで、通話処理部１１１は次のようにして音声通話と通信通話とを実行してもよい。例えば第４世代の通信規格に対応していない基地局２１０の通信圏内に電子機器１００が位置しているときには、通話処理部１１１はこの基地局２１０と通信すべく第３世代の通信規格を用いた音声通話を行う。また、第４世代の通信規格に対応している基地局２１０の通信圏内に電子機器１００が位置しているときには、通話処理部１１１は、この基地局２１０と通信すべく第４世代の通信規格を用いた通信通話を行う。
【００５８】
一方で、通話処理部１１２は、無線ＬＡＮネットワークを用いた無線ＬＡＮ通話を行うことができる（図４）。
【００５９】
なお着信の際には、例えば通話相手の電子機器１００が用いるネットワークに応じた通信処理部が着信処理を実行してもよい。例えば、音声ネットワークまたは通信ネットワークを経由した着信信号を受信すると、通話処理部１１１が着信処理を実行し、無線ＬＡＮネットワークを経由した着信信号を受信すると、通話処理部１１２が着信処理を実行してもよい。
【００６０】
着信処理自体は例えば次のように実行すればよい。着信信号を受信したときに、通話処理部１１０はこれをユーザに報知すべく、例えば第２音声出力部４４から音を出力するとともに、着信画面（不図示）を表示部４１に表示する。着信画面には、この着信に対する応答／拒否の要素が表示されている。そしてユーザが応答を入力すると、通話相手の電子機器１００との通話を開始し、ユーザが拒否を入力すると、通信を切断して通話を終了する。
【００６１】
また、通話処理部１１１，１１２の動作は通話相手の宛先情報という点でも相違してもよい。例えば通話処理部１１１はＳＩＭカードに記憶された加入者情報（例えば電話番号）を用い、通話処理部１１２はＳＩＭカードを用いずに、ＩＰアドレスまたはメールアドレスなどを用いてもよい。
【００６２】
機能処理部１２０は、入力部５０への入力に応じて、各種の機能を発揮させることができる。種々の機能の具体例は後に詳述するものの、いくつかの機能は、音声ネットワーク、通信ネットワークおよび無線ＬＡＮネットワークの少なくとも一つの通信の切断を伴う。かかる機能としては、例えば、ネットワークに関する設定項目を例示できる。具体的には、無線ＬＡＮのオン／オフを設定する設定項目が挙げられる。無線ＬＡＮを無効に設定すれば、無線ＬＡＮネットワークとの通信が切断されることになる。
【００６３】
例えば機能処理部１２０は、動作設定部１２１と、電源処理部１２２とを備えている（図８も参照）。動作設定部１２１は電子機器１００に対する設定項目をユーザの入力によって変更する機能部である。設定項目については後に詳述する。
【００６４】
機能処理部１２０（より具体的には動作設定部１２１）は設定用画面を表示部４１に表示することができる。設定用画面の一例としては、例えばアンドロイド（登録商標）オペレーションシステムにおいて、Notification画面を採用することができる。
【００６５】
図１１はNotification画面の一例を模式的に示す図である。このNotification画面１０ｄには、設定項目のいくつかを変更するための、要素１２１ｂが表示されている。要素１２１ｂは、例えば矩形状の枠内に、設定項目に対応する記号などが表示されて構成される。例えばNotification画面１０ｄの左上に示される要素１２１ｂは無線ＬＡＮのオン／オフ設定を行う要素である。ユーザは要素１２１ｂに対して操作することで、要素１２１ｂに対応する設定項目を変更することができる。例えば、図１１の左上の要素１２０１ｂへの操作の度に、動作設定部１２１は無線ＬＡＮのオン／オフ設定を切り替える。
【００６６】
また設定用画面の一例としては、例えば、各種の設定項目を一覧で表示したメニュー画面を採用することができる。この設定用画面は、例えばNotification画面１０ｄから呼び出すことができる。例えばNotification画面１０ｄには、設定用画面を呼び出すための要素１２１ａが表示されている。ユーザが要素１２１ａに対して操作を行うと、これがタッチパネル５２によって検出されて動作設定部１２１へと入力される。動作設定部１２１は設定用のメニュー画面１０ｅを表示部４１に表示する。
【００６７】
図１２はメニュー画面１０ｅの一例を模式的に示す図である。例えば、各種の設定項目は複数階層のグループごとに纏められており、メニュー画面１０ｅには、上層のグループの下に下層のグループが一覧で表示されている。各下層のグループは、当該下層のグループを選択するためのボタンとしても機能してもよい。例えば、下層のグループの一例たる「無線ＬＡＮ設定」と表示された要素１２１ｃに対して、ユーザが操作を行うと、動作設定部１２１は当該操作をタッチパネル５２から受け取って、「無線ＬＡＮ設定」に属する設定項目を一覧で示したメニュー画面（不図示）を、表示部４１に表示する。
【００６８】
以上のように、ユーザは、各グループを適宜に選択してより下層のメニュー画面を表示し、必要な設定項目を表示部４１に表示させることができる。そしてそのメニュー画面において設定項目を示す要素を選択して、当該設定項目を変更する。
【００６９】
なお、設定項目を変更するボタンとして機能する要素は、Notification画面１０ｄおよびメニュー画面のみならず、ホーム画面１０ｂに表示されてもよい。例えば要素１０ｃの一つに、設定項目を変更する機能を割り当ててもよい。この場合、ユーザは、当該要素１０ｃを操作することで、設定項目を変更することができる。或いは、メニュー画面を呼び出す機能を、ホーム画面１０ｂの要素１０ｃに割り当てても構わない。
【００７０】
次に、設定項目の具体例について説明する。この設定項目の変更により、音声ネットワーク、通信ネットワークおよび無線ＬＡＮネットワークの少なくとも一つの通信が切断される。もちろん、このような通信の切断を伴わない設定項目も存在するものの、本実施の形態では、そのような設定項目の説明は省略する。
【００７１】
図１３は、機能処理部１２０が発揮する各種機能の一例を示す表である。図１３では、各種の機能と、当該機能によって切断される通話の種類が示されている。各種の機能には設定項目が含まれている。設定項目としては、例えば、ＳＩＭカードの変更、ネットワークオペレータの変更、ネットワークタイプの変更、ユーザの変更、機内モードの設定、初期化、システムアップデート、通信データのオン／オフ設定、ＬＴＥのオン／オフ設定、無線ＬＡＮのオン／オフ設定、接続中の無線ＬＡＮの切断および別のアクセスポイントへの接続、および、ユーザの変更、機内モードの設定、初期化、システムアップデート、などが挙げられる。
【００７２】
ＳＩＭカードの変更は、ＳＩＭ挿入部７０が複数のＳＩＭカードを挿入できる場合に設けられる設定項目である。この設定項目によって、複数のＳＩＭカードのうち、どのＳＩＭカードを使用するかを設定することができる。ユーザがこの設定項目の要素を操作して、あるＳＩＭカードを選択すると、かかる操作がタッチパネル５２で検出されて、動作設定部１２１へと出力される。動作設定部１２１は、第３世代および第４世代の通信規格で用いるネットワークとの通信を一旦切断した上で、選択されたＳＩＭカードを設定する。以後、通話処理部１１１は、設定されたＳＩＭカードの電話番号を用いて通話処理を行う。
【００７３】
ＳＩＭカードの変更の際に、第３世代および第４世代の通信規格で用いるネットワークとの通信が切断されるので、音声通話または通信通話中にＳＩＭカードの変更が行われると、その通話が切断されることになる。
【００７４】
ネットワークオペレータは、例えば移動通信事業者を示す。例えばネットワークシステムには、各ネットワークオペレータが権限を有する基地局２１０が混在する。サーバ２２０およびネットワーク２３０も同様である。ネットワークオペレータはユーザによって選択されて設定される。電子機器１００は、設定されたネットワークオペレータが権限を有する各構成を用いて通信を行う。
【００７５】
ユーザが、ネットワークオペレータの変更を示す設定項目の要素を操作して、ネットワークオペレータを選択すると、かかる操作がタッチパネル５２で検出されて動作設定部１２１へと出力される。動作設定部１２１は、第３世代および第４世代の通信規格で用いるネットワークとの通信を一旦切断した上で、ネットワークオペレータを変更する。以後、電子機器１００は、設定されたネットワークオペレータが権限を有する各構成を用いて通信を行う。
【００７６】
ネットワークオペレータの変更の際にも、第３世代および第４世代の通信規格で用いるネットワークとの通信が切断されるので、音声通話または通信通話中にネットワークオペレータの変更が行われると、音声通話が切断されることになる。
【００７７】
ネットワークタイプとは、例えば第３世代および第４世代の通信規格の別を示している。ネットワークタイプの変更は、例えば第３世代および第４世代の通信規格のうちどれを使用するかの変更を示す。例えば、第３世代の通信規格のみを使用する態様と、第４世代の通信規格のみを使用する態様と、第３世代および第４世代の通信規格の両方を使用する態様とを、選択する。ユーザが、ネットワークタイプの変更を示す設定項目の要素を操作して、これらの一つを選択すると、その操作がタッチパネル５２で検出されて動作設定部１２１へと出力される。動作設定部１２１は、選択された態様での通信規格を使用するように設定する。以後、電子機器１００は設定された通信規格で通信を行う。
【００７８】
したがって、例えば第３世代の通信規格のみを使用する場合には、第４世代の通信規格で用いられるネットワークとの通信が切断されることになる。また第４世代の通信規格のみを使用する場合には、第３世代の通信規格で用いられるネットワークとの通信が切断されることになる。よって、音声通話中に第４世代の通信規格のみが採用されると、音声通話が切断されることになる。また、通信通話中に第３世代の通信規格のみが採用されると、通信通話も切断されることになる。
【００７９】
ユーザの変更とは、制御部１０が複数のユーザアカウントを設定できる場合に設けられる設定項目である。制御部１０は、各ユーザアカウントを管理し、ユーザアカウントごとに、電子機器１００の機能をユーザに使用させる。また例えば、あるユーザアカウントでログインしたときに作成したファイルは、そのユーザアカウントのみで使用するようにしてもよい。
【００８０】
ユーザの変更とは、このユーザアカウントを変更するための設定である。ユーザの変更を示す設定項目の要素をユーザが操作すると、かかる操作がタッチパネル５２で検出されて動作設定部１２１へと出力される。動作設定部１２１は、全てのネットワークとの通信を一旦切断した上で、ユーザアカウントを変更する。よって、音声通話、通信通話および無線ＬＡＮ通話のいずれかを行っている最中に、ユーザの変更が設定されると、その通話が切断されることになる。
【００８１】
機内モードとは、主として、ユーザが飛行機に搭乗したときに採用されるモードであって、全てのネットワークとの通信を切断するモードである。ユーザが、機内モードの設定を示す設定項目の要素を操作すると、かかる操作がタッチパネル５２で検出されて動作設定部１２１へと出力される。動作設定部１２１は機内モードを設定すべく、全てのネットワークとの通信を切断する。よって、音声通話、通信通話および無線ＬＡＮ通話のいずれかを行っている最中に、機内モードが設定されると、その通話が切断されることになる。
【００８２】
初期化とは各種の設定項目を初期化する機能である。例えば各種の設定項目が工場出荷段階の状態に初期化される。ユーザが、初期化を示す設定項目の要素を操作すると、かかる操作がタッチパネル５２で検出されて動作設定部１２１へと出力される。動作設定部１２１は、全てのネットワークとの通信を一旦切断した上で、各種の設定項目を初期化する。よって、音声通話、通信通話および無線ＬＡＮ通話のいずれかを行っている最中に、初期化が設定されると、その通話が切断されることになる。
【００８３】
システムアップデートとは、制御部１０が動作するオペレーションシステムを更新する機能である。ユーザが、システムアップデートを示す設定項目の要素を操作すると、かかる操作がタッチパネル５２で検出されて動作設定部１２１へと出力される。動作設定部１２１は、未実施の更新プログラムが例えば記憶部１０３に記憶されているときに、例えば全てのネットワークとの通信を切断した上で、当該更新プログラムを実行してオペレーションシステムを更新する。よって、音声通話、通信通話および無線ＬＡＮ通話のいずれかを行っている最中に、システムアップデートが設定されると、その通話が切断される。
【００８４】
通信データのオン／オフとは、第３世代の通信規格および第４世代の通信規格でモバイルネットワーク２３２を用いた通信の有効／無効を設定する機能である。ユーザが、通信データのオン／オフを示す設定項目の要素を操作すると、かかる操作がタッチパネル５２で検出されて動作設定部１２１へと出力される。そして、通信データのオンが入力された場合には、動作設定部１２１は、第３世代および第４世代の通信規格でモバイルネットワーク２３２を用いたネットワークを使用するように設定し、通信データのオフが入力された場合には、動作設定部１２１は第３世代および第４世代の通信規格でモバイルネットワーク２３２を用いたネットワークを使用しないように設定する。よって、通信通話中に通信データのオフが設定されると、通信通話が切断されることになる。
【００８５】
なお、通信データのオフによって通信ネットワークとの通信が切断されるものの、音声通話網２３１との通信は切断されない。よって、音声ネットワークを用いた音声通話中に通信データのオフが設定されても、音声通話は続行できる。
【００８６】
ＬＴＥのオン／オフとは、第４世代のネットワークタイプの一つであるＬＴＥを用いた通信の有効／無効を設定する機能である。ユーザが、ＬＴＥのオン／オフを示す設定項目の要素を操作すると、かかる操作がタッチパネル５２で検出されて動作設定部１２１へと出力される。そして、ＬＴＥのオンが入力された場合には、動作設定部１２１は、ＬＴＥを用いたネットワークを使用するように設定し、ＬＴＥのオフが入力された場合には、動作設定部１２１はＬＴＥを用いたネットワークを使用しないように設定する。よって、ＬＴＥを用いた通信通話中に、ＬＴＥのオフが設定されると、この通信通話が切断されることになる。
【００８７】
無線ＬＡＮのオン／オフとは、無線ＬＡＮを用いた通信の有効／無効を設定する機能である。ユーザが無線ＬＡＮのオン／オフを示す設定項目の要素を操作すると、かかる操作がタッチパネル５２で検出されて動作設定部１２１へと出力される。無線ＬＡＮのオンが入力された場合には、動作設定部１２１は、無線ＬＡＮを用いたネットワークを使用するように設定し、無線ＬＡＮのオフが入力された場合には、動作設定部１２１は無線ＬＡＮを用いたネットワークを使用しないように設定する。よって、無線ＬＡＮ通話中に無線ＬＡＮのオフが設定されると、無線ＬＡＮ通話が切断されることになる。
【００８８】
接続中の無線ＬＡＮの切断は、無線ＬＡＮを用いたネットワークとの通信中に、当該無線ＬＡＮを用いたネットワークとの通信を切断する機能である。ユーザが、接続中の無線ＬＡＮの切断を示す設定項目の要素を操作すると、かかる操作がタッチパネル５２で検出されて動作設定部１２１へと出力される。動作設定部１２１は、無線ＬＡＮを用いたネットワークとの通信を切断する。よって、無線ＬＡＮ通話中に、接続中の無線ＬＡＮの切断が設定されると、無線ＬＡＮ通話が切断されることになる。
【００８９】
別のアクセスポイントへの接続は、現在、通信しているアクセスポイントとは別のアクセスポイントに接続する機能である。ユーザが、別のアクセスポイントへの接続を示す設定項目の要素を操作すると、かかる操作がタッチパネル５２で検出されて動作設定部１２１へと出力される。動作設定部１２１は、別のアクセスポイントを検出し、これを表示部４１に表示する。ユーザが当該別のアクセスポイントを選択すると、この操作がタッチパネル５２で検出されて動作設定部１２１へと入力される。動作設定部１２１は、通信中のアクセスポイントとの通信を切断して別のアクセスポイントと通信するように設定する。よって、無線ＬＡＮ通話中に別のアクセスポイントへの接続が設定されると、無線ＬＡＮ通話が切断されることになる。
【００９０】
電源処理部１２２は、ユーザの入力に応じて、電子機器１００の電源に関する処理を実行する。例えば、ユーザが入力部５０を介して電源オフを入力すると、電源処理部１２２は電子機器１００の電源を遮断する。これにより、全てのネットワークとの通信が切断される。
【００９１】
また、ユーザが入力部５０を介して再起動を入力すると、電源処理部１２２は電子機器１００を、全てのネットワークとの通信を一旦切断した上で、再起動する。
【００９２】
よって、音声通話、通信通話および無線ＬＡＮ通話のいずれかを行っている最中に、電源オフまたは再起動が入力されると、その通話が切断されることになる。
【００９３】
以上のように、各種の機能（設定項目の変更、電源オフまたは再起動）を発揮させる入力によって、その機能に応じたネットワークが切断される。このようなネットワークの切断が、そのネットワークを用いた通話中に生じると、その通話が切断される。
【００９４】
ユーザは、通話画面１１０ａの要素１１０ｂによって通話を終了することができるので、これ以外の操作によって通話が切断されることは、ユーザが意図したものではなく、誤操作とみなすことができる。つまり通話中の、各種の設定項目の変更、電源オフおよび再起動の入力は、誤操作ととみなすことができる。
【００９５】
そこで、制限処理部１３０は、通話処理部１１０が通話を行っているときに、その通話で用いるネットワークの切断を伴う機能、および、その機能のトリガとなる入力の少なくともいずれか一方に対して制限処理を実行する。これにより、ユーザが通話中に、誤操作により上記機能を発揮させることを抑制し、ひいては意図しない通話の切断を抑制するのである。
【００９６】
なお通話を行っているか否かの情報と、その通話の種類についての情報（音声通話／通信通話／無線ＬＡＮ通話の別）とは、例えば通話処理部１１０から制限処理部１３０へと通知されればよい。
【００９７】
制限処理の具体例として、例えば制限処理部１３０は各種の機能を無効にすることができる。例えば通話処理部１１１が音声通話を行っているときに、制限処理部１３０は、音声ネットワークとの通信の切断を伴う機能を無効にする。上述の例では、ＳＩＭカードの変更、ネットワークオペレータの変更、ネットワークタイプの変更、ユーザの変更、機内モード、初期化、システムアップデートの設定機能、ならびに、電源オフおよび再起動の機能を無効にする（図１３も参照）。かかる処理は例えば制限処理部１３０が機能処理部１２０に対して、制限指示を出力することによって行われる。この制限指示には、制限すべき機能を指定する情報が含まれる。これにより、ユーザが上述の設定項目の変更、電源オフまたは再起動の入力を音声通話中に行ったとしても、機能処理部１２０は当該入力に応じた機能を実行しない。よって、音声ネットワークとの通信が切断されずに、音声通話を維持できる。
【００９８】
また、例えば通話処理部１１１が通信通話を行っているときには、制限処理部１３０は、通信ネットワークとの通信の切断を伴う機能を無効にする。上述の例では、通信データのオフ、ＬＴＥのオフ、ＳＩＭカードの変更、ネットワークオペレータの変更、ネットワークタイプの変更、ユーザの変更、機内モード、初期化、システムアップデートの設定機能、ならびに、電源オフおよび再起動の機能を無効にする。これにより、ユーザがこれらの設定項目の変更、電源オフまたは再起動の入力を通信通話中に行ったとしても、機能処理部１２０は当該入力に応じた機能を実行しない。よって、通信ネットワークとの通信が遮断されずに、通信通話を維持できる。
【００９９】
また、例えば通話処理部１１２が無線ＬＡＮ通話を行っているときには、制限処理部１３０は、無線ＬＡＮネットワークとの通信の切断を伴う機能を無効にする。上述の例では、無線ＬＡＮのオフ、接続中の無線ＬＡＮの切断、別のアクセスポイントに接続、ユーザの変更、機内モード、初期化、システムアップデートの設定機能、ならびに、電源オフおよび再起動の機能を無効にする。これにより、ユーザがこれらの設定項目の変更、電源オフまたは再起動の入力を無線ＬＡＮ通話中に行ったとしても、機能処理部１２０は当該入力に応じた機能を実行しない。よって、無線ＬＡＮネットワークとの通信が切断されずに、無線ＬＡＮ通話を維持できる。
【０１００】
図１４は、制御部１０の動作の一例を示すフローチャートである。まずステップＳＴ１にて、通話処理部１１０はユーザの入力に応じて通話を開始する。例えば、通話処理部１１０が通話相手からの着信に対して応答することで通話を開始したり、通話相手に対して発呼信号を送信し、これに対して通話相手が応答することで、通話が開始される。
【０１０１】
次にステップＳＴ２にて、制限処理部１３０は、通話で用いられているネットワークの種別を判断する。言い換えれば、この通話が、通信通話、音声通話および無線ＬＡＮ通話のいずれであるのかを判断する。この情報は通話処理部１１０から取得できる。
【０１０２】
通信ネットワークが用いられているときには、ステップＳＴ３にて、制限処理部１３０は、通信ネットワークの切断を伴う機能に対して制限処理を実行する。また音声ネットワークが用いられているときには、ステップＳＴ４にて、制限処理部１３０は、音声ネットワークの切断を伴う機能に対して制限処理を実行する。また無線ＬＡＮネットワークが用いられているときには、ステップＳＴ５にて、制限処理部１３０は、無線ＬＡＮネットワークの切断を伴う機能に対して制限処理を実行する。
【０１０３】
また各制限処理は、通話の終了をトリガとして解除されればよい。
【０１０４】
これにより、通話中に、その通話で用いるネットワークの切断を伴う機能を誤操作により発揮させることにより、その通話が切断される事態が、発生しにくくなる。
【０１０５】
なお本実施の形態では、各種機能によって切断されるネットワークの種別および個数は、その機能によって相違する。例えば１種のネットワークのみを切断する機能、２種のネットワークを切断する機能、および、全てのネットワークとの通信を切断する機能が混在している。本実施の形態では、このような機能を把握して、複数種類の通話に対応して各機能を適切に制限している。よって通話中に、その通話で用いるネットワークの切断を伴う機能を誤って発揮させることを、適切に抑制できるのである。
【０１０６】
また上述の例では、制限処理部１３０は通話の開始をトリガとして、制限処理を施しているものの、必ずしもこれに限らない。機能に対する要素を含む設定用画面（例えばホーム画面１０ｂ、Notification画面１０ｄまたはメニュー画面１０ｅなど）を表示部４１に表示するときに、制限処理を施してもよい。図１５は、制御部１０の動作の一例を示すフローチャートである。まずステップＳＴ１１にて、通話処理部１１０はユーザの入力に応じて通話を開始する。次にステップＳＴ１２にて、ユーザは、入力部５０を用いて、設定用画面を表示するための入力を行う。
【０１０７】
次にステップＳＴ１３にて、制限処理部１３０は、通話で用いられているネットワークの種別を判断する。そして、通信ネットワークが用いられているときには、ステップＳＴ１４にて、制限処理部１３０は、通信ネットワークとの通信の切断を伴う機能に対して制限処理を実行する。音声ネットワークが用いられているときには、ステップＳＴ１５にて、制限処理部１３０は、音声ネットワークとの通信の切断を伴う機能に対して制限処理を実行する。無線ＬＡＮネットワークが行われているときには、ステップＳＴ１６にて、制限処理部１３０は、無線ＬＡＮネットワークとの通信の切断を伴う機能に対して制限処理を実行する。
【０１０８】
ステップＳＴ１４〜ＳＴ１６のいずれかを経て、ステップＳＴ１７にて、機能処理部１２０はステップＳＴ２の入力に応じて、機能に対応する要素を含む設定用画面（ホーム画面／Notification画面/メニュー画面）を表示部４１に表示する。
【０１０９】
かかる動作によれば、各機能に対する要素を含む画面（ホーム画面、Notification画面またはメニュー画面など）を表示させるための入力（ステップＳＴ１２）をトリガとして、制限処理（ステップＳＴ１３〜ＳＴ１６）を実行することができる。よって、より必要性が高い状況で制限処理を実行することができる。つまり、通話画面１１０ａでは、上記機能を発揮させるための要素が表示されないので、この段階では未だ制限処理を施さずに、当該要素を含む画面を表示するときに、制限処理を施すのである。これにより、不要な制限処理の実行を回避することができるのである。
【０１１０】
またステップＳＴ１３の判断自体は、ステップＳＴ１２の前に実行してその判断結果を例えば記憶部１０３に記憶しておき、判断に応じた制限処理（ステップＳＴ１３〜ＳＴ１４）はステップＳＴ１２の後に実行してもよい。
【０１１１】
＜表示態様＞
機能処理部１２０は、通話中に制限処理が施される機能の要素を、通常の表示態様とは異なる表示態様で表示部４１に表示してもよい。図１６は、ネットワーク設定を行うためのメニュー画面１０ｆの一例を模式的に示している。メニュー画面１０ｆでは、複数の設定項目に対する複数の要素１２１ｄが表示されており、その一つの要素１２１ｄには「機内モード」と表示されている。ここでは「機内モード」の設定項目は制限されており、図１６の例示では、この「機内モード」が白抜き文字で表示されている。図１６では、図示を容易にすべく、白抜きの文字を採用したが、例えば灰色の文字で表示してもよい（いわゆるグレーアウト）。他の要素１２１ｄについては、黒色の文字で表示されるとよい。これにより、ユーザは、「機内モード」の設定項目の変更に制限処理が施されていることを容易に理解することができる。
【０１１２】
なお通話が行われていないときには「機内モード」の設定項目は制限されないので、機能処理部１２０は当該設定項目の要素も通常の表示態様で表示する。つまり、機能処理部１２０は通話が行われないときには、各種の機能に対する要素を第１表示態様で表示部４１に表示し、通話が行われているときには、制限処理が施される機能に対する要素を、第１表示態様とは異なる表示態様で表示部４１に表示するのである。
【０１１３】
また、図１７に示すように、機能処理部１２０は無効対象の機能の要素を表示しなくてもよい。図１７の例示では、「機内モード」の要素１２１ｄが表示されていない。つまり、機能処理部１２０は通話が行われないときには、各種の機能の要素を表示部４１に表示し、通話が行われているときには、無効処理が施される機能の要素を表示しないのである。これにより、通話中に、無効処理が施された機能を発揮させる入力を行うことはできない。なお要素を表示しない態様は、入力自体が不可能になることから、入力に対する制限処理が行われている、とも説明できる。
【０１１４】
＜報知＞
報知部４０は、通話を行っている状態で、制限処理が施された各種の機能のいずれかに対して入力があったときには、制限処理が施されていることをユーザに報知してもよい。機能処理部１２０は、例えば、当該機能の要素に対する操作がタッチパネル５２から入力されたときに、制限処理が施されていることを、表示部４１に表示したり、あるいは、第１音声出力部４２または第２音声出力部４４に音声で出力させたりする。或いは、振動部４５を振動させてもよい。表示部４１の表示を採用する場合には、制限処理が施されていることを文章で表示していてもよく、あるいは、図記号で表示してもよい。また、制限処理が施されていることを間接的に報知すべく、通話中であることを報知してもよい。図１８はメニュー画面１０ｆの一例を模式的に示している。図１８の例示では、報知内容４０ａが表示されている。この報知内容４０ａでは、例えば「通話中なので機能が制限されています」との文字が表示されている。
【０１１５】
これにより、ユーザは、その機能に対して制限処理が施されていることを知ることができる。
【０１１６】
＜入力に対する制限処理＞
上述の例では、ネットワークとの通信の切断を伴う機能自体に制限処理を施している。しかるに、その機能を発揮させる入力に対して制限処理を施しても構わない。例えば制限処理として、制限処理部１３０は、その機能を発揮させる入力の感度（以下、入力感度とも呼ぶことがある）を下げても構わない。入力感度とは、ユーザによる操作が電子機器１００への入力であると判断される容易さを表す。例えば、静電容量式のタッチパネル５２を用いた場合、静電容量の変化量が容量基準値よりも大きくなると、その操作は電子機器１００に対する入力であると判断される。この容量基準値を小さく設定すれば、わずかな静電容量の変化で入力が検出されることとなり、容量基準値を大きく設定すれば、静電容量が大きく変化しないと入力が検出されないことになる。つまり、この容量基準値は入力感度を表すパラメータの一例である。容量基準値が小さいほど入力感度は高い。
【０１１７】
また入力の検出条件として時間を採用することもある。例えば、容量基準値を超える静電容量の変化が、時間基準値よりも長い時間に亘って維持されると、その操作が入力であると判断される。よって時間基準値が小さければ、操作子をタッチパネル５２に近接する時間が短くても、当該操作が入力と判断される。この場合、時間基準値も入力感度の一例と把握することができる。時間基準値が小さいほど入力感度は高い。
【０１１８】
制限処理部１３０は、通話処理部１１０が通話を行っているときには、その通話で用いるネットワークとの通信の切断を招く機能についての入力の感度を、通話を行っていないときの入力感度よりも小さくする。例えば音声通話を行っているときには、ＳＩＭカードの変更を示す設定項目に対する入力感度を小さく設定する。他も同様である。
【０１１９】
図１９は制御部１０の動作の一例を示すフローチャートである。ステップＳＴ２１，ＳＴ２２はステップＳＴ１，ＳＴ２と同一である。ステップＳＴ２３〜ＳＴ２５は、制限処理の対象が入力であり、制限処理が入力感度の低下であることを除いて、ステップＳＴ３〜ＳＴ５と同一である。具体的には、通信ネットワークが用いられているときには、ステップＳＴ２３にて、制限処理部１３０は、通信ネットワークとの通信の切断を伴う機能を発揮させる入力の感度を小さく設定する。また音声ネットワークが用いられているときには、ステップＳＴ２４にて、制限処理部１３０は、音声ネットワークとの通信の切断を伴う機能を発揮させる入力の感度を小さく設定する。無線ＬＡＮネットワークが行われているときには、ステップＳＴ２５にて、制限処理部１３０は、無線ＬＡＮネットワークとの通信の切断を伴う機能を発揮させる入力の感度を小さく設定する。
【０１２０】
これにより、ユーザは、通話中に、その通話で用いられるネットワークとの通信の切断を伴う機能を発揮させる誤操作を行ったとしても、これが入力として判断されにくい。よって誤操作によるネットワークの切断を招きにくい。言い換えれば、通話を維持しやすいのである。
【０１２１】
また入力感度が低下しても、入力自体が無効になるわけではないので、通話を遮断してもその機能を実施すべきとユーザが判断した場合には、その機能を発揮させることができる。
【０１２２】
＜各種機能の変更の反映＞
上述の例では、通話で用いるネットワークの切断を伴う機能およびその入力の少なくともいずれか一方は、その通話中において制限される。ここでは、当該機能の実行タイミングについて述べる。より具体的には、動作設定部１２１は、制限された機能が通話中に入力されたときに、その機能を通話終了後に実行してもよい。
【０１２３】
図１６は制御部１０の動作の一例を示すフローチャートである。ステップＳＴ１〜ＳＴ５は図１４のステップＳＴ１〜ＳＴ５と同様であるので、繰り返しの説明を避ける。ステップＳＴ５の次のステップＳＴ６にて、動作設定部１２１は、制限された機能の要素がユーザによって操作されたか否かを判断する。この判断は、タッチパネル５２からの情報に基づいて行うことができる。ステップＳＴ６にて肯定的な判断がなされると、ステップＳＴ７にて、動作設定部１２１は操作情報を記憶部１０３に記憶する。ここでいう操作情報とは、制限された機能に対する操作があったことを示す情報であり、どの機能が操作されたかの情報を含む。
【０１２４】
ステップＳＴ６にて否定的な判断がなされたとき、または、ステップＳＴ７を経て、ステップＳＴ８にて、動作設定部１２１は通話が終了したか否かを判断する。なお通話の終了は通話処理部１１０から動作設定部１２１へと通知される。通話が終了していないと判断したときには、再びステップＳＴ６を実行する。通話が終了していると判断したときには、ステップＳＴ９にて、動作設定部１２１は操作情報が記憶部１０３に記憶されているか否かを判断する。つまり、上記機能の要素が通話中に操作されたか否かを判断する。操作情報が記憶されていないと判断したときには、動作を終了する。つまり、上記機能の要素が通話中に操作されていないので、当該機能を実行することなく動作を終了する。一方で、操作情報が記憶されていると判断したときには、動作設定部１２１は、記憶された操作情報に対応する機能を実行する。
【０１２５】
例えば無線ＬＡＮのオン／オフ設定を示す要素が無線通話中にユーザによって操作されると、ステップＳＴ６にて肯定的な判断がなされる。これにより、その機能に対する操作情報が記憶される（ステップＳＴ７）。そして、ユーザが通話を終了すると、ステップＳＴ８，ＳＴ９のいずれにおいても肯定的な判断がなされる。これにより、動作設定部１２１は無線ＬＡＮをオフに設定する（ステップＳＴ１０）。これによれば、通話終了後に、ユーザが改めて当該機能の要素を操作する必要がない。よって利便性を向上することができる。なお無線ＬＡＮをオフすると、無線ＬＡＮを用いた通信に必要な各種の機能部への給電を停止することができるので、消費電力を低減することができる。
【０１２６】
また、当該機能の要素が通話中に操作されたときには、動作設定部１２１は、当該機能を通話終了後に実行することを、ユーザに報知しても構わない。図１７に示すように、例えばステップＳＴ６にて、制限対象となる機能の要素が操作されたと判断したときに、ステップＳＴ７１を実行してもよい。図１７ではステップＳＴ７１は例えばステップＳＴ７の後に実行されている。ステップＳＴ７１において、動作設定部１２１は報知部４０に報知を行わせる。例えば、動作設定部１２１は、通話終了後に当該機能を発揮させることを表示部４１に表示する。これにより、ユーザは、通話中に操作した機能が通話終了後に実行されることを、通話中に知ることができる。
【０１２７】
また、通話終了後に、当該機能の実行の有無をユーザに問い合わせても構わない。図１８に示すように、例えば、ステップＳＴ９にて、操作情報が記憶されていると判断したときに、動作設定部１２１は、その機能を実行するかどうかの問い合わせをユーザに行ってもよい。例えば動作設定部３１は、通話中に操作された機能の種別と、その機能を実行するかどうかの問い合わせを表示部４１に表示する。この表示には、機能の実行の有無を入力するための要素（ボタン）も表示するとよい。
【０１２８】
次に、ステップＳＴ９２にて、動作設定部１２１は、ユーザによって機能の実行の入力があったか否かを判断する。この判断は、タッチパネル５２からの情報に基づいて行うことができる。機能の実行が入力されたと判断したときには、ステップＳＴ１０にて動作設定部１２１は機能を実行する。一方で、機能の実行を不要とする入力があったと判断されたときには、ステップＳＴ１０を実行することなく、動作を終了する。
【０１２９】
これによれば、ユーザは、機能を実行するためのメニュー画面を呼び出すための操作を行う必要がない。これによっても、利便性を向上することができる。また、機能の実行が不要である場合に、ユーザは当該機能を実行しないための入力を行うこともできる。
【０１３０】
なお上述の例では、３種のネットワークを用いたが、２種以上のネットワークを用いればよく、要するに、機能処理部１２０および制限処理部１３０が次の動作を行えばよい。(i)機能処理部１２０は、入力部５０への第１入力に応答して、第１ネットワークの通信切断を含む第１機能を発揮させ、入力部５０への第２入力に応答して、第２ネットワークの通信切断を含む第２機能を発揮させ、入力部５０への第３入力に応答して、第１ネットワークおよび第２ネットワークの通信切断を含む第３機能を発揮させる。(ii)制限処理部は、第１ネットワークを用いた第１通話を行っているときに、第１入力および第１機能の少なくとも一方と、第３入力および第３機能の少なくとも一方とを対象とした制限処理を行い、第２ネットワークを用いた第２通話を行っているときに、第２入力および第２機能の少なくとも一方と、第３入力および第３機能の少なくとも一方とを対象とした制限処理を行う。これにより、通話中に、その通話で用いるネットワークの切断を抑制できる。
【０１３１】
また上述の例では、通話処理部１１１は音声通話および通信通話を行っているものの、いずれか一方のみを実行してもよい。この場合、他方を実行する通話処理部が、通話処理部１１１とは別のアプリケーションとして設けられてもよい。或いは、通話処理部１１１が音声通話および通信通話の両方を行いつつ、音声通話および通信通話の一方のみの通話を行う通話処理部が通話処理部１１１とは別のアプリケーションとして設けられても構わない。
【０１３２】
また上述のように、各種の機能によってネットワークとの通信が切断されるものの、このとき、他のネットワークを採用して通話を維持してもよい。例えば音声ネットワークとの通信を切断する機能が音声通話中に実施されたときに、通話処理部１１１は音声通話から通信通話へと切り替えて通話を行ってもよい。この場合、基地局２１０およびサーバ２２０も、適宜に信号を送受信するネットワークを切り替える。
【０１３３】
このように複数のネットワークを切り替えた通話が可能である場合には、次のように制限処理を行ってもよい。即ち、電子機器１００が複数のネットワークと通信可能な場合には、制限処理部１３０は制限処理を実行せず、通話可能なネットワークが一つである場合に、そのネットワークとの通信の切断を伴う機能、および、その機能のトリガとなる入力の少なくともいずれか一方に制限処理を施してもよい。
【０１３４】
例えば、音声通話と通信通話の両方が可能である場合には、制限処理を実行しない。これは、音声ネットワークおよび通信ネットワークのいずれか一方との通信が切断されても、他方との通信により通話を維持できるからである。一方で、例えば第３世代の通信規格にのみ対応した基地局２１０との通信により通話を行う場合には、音声通話のみが実行可能であるので、音声通話中には、音声ネットワークとの通信の切断を対象にした制限処理を実行するとよい。これにより、音声ネットワークとの通信の切断を抑制して、通話を維持しやすくできる。
【０１３５】
以上のように、電子機器は詳細に説明されたが、上記した説明は、すべての局面において、例示であって、本電子機器がそれに限定されるものではない。例示されていない無数の変形例が、本発明の範囲から外れることなく想定され得る。
【０１３６】
実施の形態は、相互に矛盾しない限り、互いに組み合わせて実施することができる。
【符号の説明】
【０１３７】
４０  報知部
４１  表示部
５０  入力部
５２  タッチパネル
１１０  通話処理部
１２０  機能処理部
１３０  制限処理部
【図１】
2017034335.tif 000003
【図２】
2017034335.tif 000004
【図３】
2017034335.tif 000005
【図４】
2017034335.tif 000006
【図５】
2017034335.tif 000007
【図６】
2017034335.tif 000008
【図７】
2017034335.tif 000009
【図８】
2017034335.tif 000010
【図９】
2017034335.tif 000011
【図１０】
2017034335.tif 000012
【図１１】
2017034335.tif 000013
【図１２】
2017034335.tif 000014
【図１３】
2017034335.tif 000015
【図１４】
2017034335.tif 000016
【図１５】
2017034335.tif 000017
【図１６】
2017034335.tif 000018
【図１７】
2017034335.tif 000019
【図１８】
2017034335.tif 000020
【図１９】
2017034335.tif 000021
【図２０】
2017034335.tif 000022
【図２１】
2017034335.tif 000023
【図２２】
2017034335.tif 000024